(57)【要約】【課題】一対の接触端子を有するフォークコンタクトにおいて、一対の接触端子を同一方向に略４５度傾斜させることで、配置する空間を縮小して且つ補強強度を向上させるフォークコンタクト及びこのフォークコンタクトを備えたジャックを提供する。【解決手段】コネクター用フォークコンタクトは、二股のフォーク状に形成された対峙する一対の接触端子を有するフォークコンタクトであって、前記対峙する一対の接触端子のそれぞれを向き合う同じ方向に傾斜させて形成したことである。【選択図】図１
2006032093.tif 000002
【特許請求の範囲】
【請求項１】
二股のフォーク状に形成された対峙する一対の接触端子を有するフォークコンタクトであって、
前記対峙する一対の接触端子のそれぞれを向き合う同じ方向に傾斜させて形成したことを特徴とするコネクター用フォークコンタクト。
【請求項２】
前記向き合う同じ方向に傾斜させる角度は略４５度である請求項１に記載のコネクター用フォークコンタクト。
【請求項３】
プラグに接触する複数の接点部材をハウジングの内部に組み込んで形成されたジャックであって、
前記複数の接点部材のうちのいずれかは、二股のフォーク状に形成された対峙する一対の接触端子のそれぞれを向き合う同じ方向に傾斜させて形成したことを特徴とするジャック。
【請求項４】
前記向き合う同じ方向に傾斜させる角度は略４５度である請求項３に記載のジャック。
【発明の詳細な説明】
【技術分野】
【０００１】
本発明は、コネクター用フォークコンタクト及びジャックに関し、詳しくはコネクター、例えば、ピンジャック等に組み込んで使用されるフォークコンタクト及びジャックに関する。
【背景技術】
【０００２】
従来技術におけるコネクター用フォークコンタクトは、図７に示すように、表裏両面に良導電材層をメッキした金属フープ材をプレスして形成されている。
このフォークコンタクト１１０は、基部１１１から一対の同形状の接触端子１１２ａ、１１２ｂが対峙するように突出形成され、その基部１１１の反対側には所定長さのリード端子１１３が形成されている。そして、この基部１１１はその中央部において接触端子１１２ａ、１１２ｂと直交する方向に略直角に折り曲げられている。
接触端子１１２ａ、１１２ｂの各先端部１１４ａ、１１４ｂは夫々内側に弧状に膨出させて形成すると共に、その弧状の端縁を、フォークコンタクトの打ち抜き加工時又はその後において、所定の幅に亘って例えば絞りしごき加工を行ってめくり上げることにより接点部１１５ａ、１１５ｂを形成し、この接点部１１５ａ、１１５ｂの対向面に良導電材層が位置するように形成する。
又、接触端子１１２ａ、１１２ｂの間で、基部１１１側に半円状の舌片１１６を形成し、この舌片１１６は、端子ピンの挿着孔を底部側において塞ぐためのものであり、基部１１１が曲げられる方向とは逆方向に略直角に折り曲げて形成される。
【０００３】
このフォークコンタクトが組み込まれるコネクター、例えば、ピンジャックの導電キャップユニット１２０は、図８に示すように、アース金具１２１と一対のブッシュ１２２とから構成されており、アース金具１２１は一対の導電キャップ１２３ａ、１２３ｂが突出形成されており、その導電キャップ１２３ａ、１２３ｂ内にブッシュ１２２が夫々嵌着して取付けられている。
【０００４】
ブッシュ１２２は、先端側が円筒形状で基部側が角ブロック状を呈し、軸芯に沿って外部からの端子ピンが挿着される孔１２４が設けられ、この孔１２４の長さ方向に沿って内側の上下両サイドに所定幅で且つ所定長さのスリット１２５、１２６が基部側１２８から設けられており、そのスリット１２５、１２６に基部側１２８からフォークコンタクトを挿着して組み込むのである。この場合に、フォークコンタクトの接触端子１１２ａ、１１２ｂはその接触端縁が僅かにめくり上げられて接触面１２７ａ、１２７ｂが形成されているだけであるため、スリット１２５、１２６の大きさ又は形状を変えることなく、容易に挿着できる構造になっている。
【０００５】
更に、ブッシュ１２２の基部側１２８には、その側面に複数のスリット１２５，１２６が背面側から設けられると共に、アース金具１２１と係合する位置決めを兼ねた一対の係合舌片１２９が対照的に設けられている。
【０００６】
このようなブッシュ１２２に対して、フォークコンタクトを挿着して組み込む場合に、フォークコンタクトを基部側１２８から所定位置まで挿着させると、スリット１２６の背面側壁面に突起が圧接すると共に、フォークコンタクトの基部１１１がスリット１２５、１２６の１つに嵌合して取り付け状態が安定する。同時に、直角に折り曲げられた基部１１１と、接触端子の間にある切起こし舌片１１６とによって、孔１２４が塞がれるようになる。
【０００７】
【特許文献１】実開平６−２３１７２号公報（第３頁〜４頁、第１図）
【発明の開示】
【発明が解決しようとする課題】
【０００８】
しかしながら、上記背景技術の項で説明した従来技術のフォークコンタクトは、フォーク状の対峙した接触端子が同一平面形状に形成し、その対向する内側の接点部を円弧状にめくり上げた構造とし、且つ接触端子自体が１８０度の対向する向きに形成されているため、プラグに接触する上下左右のうち、２方向を使用してしまい、確保するスペースが広すぎるばかりでなく、その補強にも限界があるという問題がある。
従って、フォーク状の対峙した接触端子が確保するスペースを小さくすると共に、端子自体の補強も兼ねた構造に解決しなければならない課題を有する。
【課題を解決するための手段】
【０００９】
上記課題を解決するために、本発明に係るコネクター用フォークコンタクトは、次に示す構成にすることである。
【００１０】
（１）コネクター用フォークコンタクトは、二股のフォーク状に形成された対峙する一対の接触端子を有するフォークコンタクトであって、前記対峙する一対の接触端子のそれぞれを向き合う同じ方向に傾斜させて形成したことである。
（２）前記向き合う同じ方向に傾斜させる角度は略４５度である（１）に記載のコネクター用フォークコンタクト。
【００１１】
（３）ジャックは、プラグに接触する複数の接点部材をハウジングの内部に組み込んで形成されたジャックであって、前記複数の接点部材のうちのいずれかは、二股のフォーク状に形成された対峙する一対の接触端子のそれぞれを向き合う同じ方向に傾斜させて形成したことである。
（４）前記向き合う同じ方向に傾斜させる角度は略４５度である請求項３に記載のジャック。
【発明の効果】
【００１２】
本発明のコネクター用フォークコンタクト及びジャックは、二股のフォーク状に形成された一対の接触端子のそれぞれを向き合う同じ方向に傾斜させたことにより、組み込むハウジング内でのスペースが少なくてすみ、また傾斜させたことで、補強強度を向上させることができる。
【発明を実施するための最良の形態】
【００１３】
次に、本発明に係るコネクター用フォークコンタクト及びジャックについて図面を参照して説明する。
【実施例１】
【００１４】
本願発明に係るコネクター用フォークコンタクトは、図１及び図２に示すように、１枚の板部材を切り抜き加工したもので、四角形状をした基部１１の一方端部に突出形成したリード端子１２を備え、このリード端子１２と反対側に二股のフォーク状に形成した両腕の基端部１３ａ、１３ｂに対峙する一対の接触端子１４ａ、１４ｂを設けた構造になっている。
【００１５】
又、基部１１には、その中央位置に３辺を切欠いて下部側方向に切り起こした舌片１５を備えている。この舌片１５は、ジャックに組み込んだときの抜け止め係止するものである。
更に、基部１１に連設して設けてある接触端子１４ａ、１４ｂは、基部１１に連結している部分の基端部１３ａ、１３ｂを基部１１と直角する方向に切起こした起立部１５ａ、１５ｂを有し、この起立部１５ａ、１５ｂに連設してある先端部１６ａ、１６ｂのそれぞれが互いに向き合う同じ方向に略４５度の角度を持って傾斜させた状態に形成してなる。
【００１６】
先端部１６ａ、１６ｂは、互いに向き合う同じ方向に基部１１と略４５度の傾斜を持って形成され、その先端に幅広に湾曲形状に形成された接点部１７ａ、１７ｂを備えている。
【００１７】
このような構造のフォークコンタクトは、直方体形状に形成されたジャックに接点部材の１つであるチップバネとして配置される構造となっている。
【００１８】
ジャックは、図３に示すように、直方体形状に形成され、内部を中空に形成したハウジング２１と、このハウジング２１の中空に連設した長手方向の前面中央位置部分には、他の箇所に取り付けるためのねじ部２１を外周に備え、内側が、プラグの挿入を許容するプラグ挿入口２３になっている。
そして、図４〜図７に示すように、その中空の部分には、複数の接点部材であるフォークコンタクトとしてのスリーブバネ２４、チップバネ２５、ブレークターミナル２６が後面側から挿入されて組み込まれている。
【００１９】
フォークコンタクトとしてのスリーブバネ２４は、ハウジングの後面であって、図６において右側の位置に設けたスリーブバネ係合部２７に、一対の接触端子１４ａ、１４ｂを中心位置に臨ませた状態で配置し、略コ字状のチップバネ２５は図６において左側の位置に設けてあるチップバネ係合部２８に接点部２５ａを中心位置に臨ませた状態で配置し、図６において底部側の位置に設けたターミナル係合部２９にブレークターミナル２６を係合させて配置した構造となる。このように配置した端子においては、プラグが差し込まれていないときには、チップバネ２５とブレークターミナル２６が電気的に接続した状態を維持し、プラグが差し込まれると、そのプラグによってチップバネ２５とブレークターミナル２６とが電気的に切断した状態となり、プラグが差し込まれたことを検知することができるようになっている。
【００２０】
スリーブバネ２４は、一対の接触端子１４ａ、１４ｂのそれぞれを互いに向き合う同じ方向に略４５度傾斜させて形成したことで、ハウジング２１の中空に占有する面積が、傾斜させないで平板状のものが上下に占めるのに比べて、４５度傾けた分だけ中空を占める面積が少なくてすむ。又、４５度傾斜させたことで、プラグの差込方向に対して傾斜した状態の接触端子１４ａ、１４ｂが中空に臨むことになり、プラグとのコンタクトに補強強度を向上させた接触端子にすることができる。
【産業上の利用可能性】
【００２１】
本発明のフォークコンタクトは、二股のフォーク状に形成された一対の接触端子のそれぞれを向き合う同じ方向に略４５度傾斜させて形成することで、配置スペースを少なくすると共に傾斜させた状態でプラグに接触するために、端子自体の補強強度を向上させたジャック及び、そのジャックに配置するフォークコンタクトを提供することができる。
【図面の簡単な説明】
【００２２】
【図１】本願発明に係るフォークコンタクトの斜視図である。
【図２】同、平面図である。
【図３】本願発明に係るフォークコンタクトを搭載したジャックの斜視図である。
【図４】同、先端側からみた側面図である。
【図５】同、平面図である。
【図６】同、背後からみた側面図である。
【図７】従来技術におけるフォークコンタクトの平面図である。
【図８】従来技術におけるフォークコンタクトを配置した導電キャップユニットの一部断面した平面図である。
【符号の説明】
【００２３】
１１：基部、１２；リード端子、１３ａ；基端部、１３ｂ；基端部、１４ａ；接触端子、１４ｂ；接触端子、１５ａ；起立部、１５ｂ；起立部、１６ａ；先端部、１６ｂ；先端部、１７ａ；接点部、１７ｂ；接点部、２１；ハウジング、２２；ねじ部、２３；プラグ挿入口、２４；スリーブバネ、２５；チップバネ、２５ａ；接点部、２６；ブレークターミナル、２７；スリーブバネ係合部、２８；チップバネ係合部、２９；ターミナル係合部。
【図１】
2006032093.tif 000003
【図２】
2006032093.tif 000004
【図３】
2006032093.tif 000005
【図４】
2006032093.tif 000006
【図５】
2006032093.tif 000007
【図６】
2006032093.tif 000008
【図７】
2006032093.tif 000009
【図８】
2006032093.tif 000010